(57)【要約】      （修正有）【課題】粘着シートロールを目的の位置で簡単且つきれいに切断することが可能な粘着式清掃具を提供する。【解決手段】ロール状の粘着シートロール１０を回転可能に保持する保持部２０と、保持部２０に固定された持ち手部２２と、粘着シートロール１０を部分的に覆うカバー部３０とを有し、カバー部３０の長辺縁部に粘着シートロール１０を切断する刃部４０を備えた。長辺縁部に形成された刃部４０を粘着シートロール１０に押圧した状態で粘着シートロール１０の切断を行うため、粘着シートロール１０を刃部４０に沿って簡単且つきれいに切断することができる。また、粘着シートロール１０を目的の位置できれいに切断することができる。【選択図】図１
0003185426.tif 000002
【実用新案登録請求の範囲】
【請求項１】
ロール状の粘着シートロールを回転可能に保持する保持部と、
前記保持部に固定された持ち手部と、を有する粘着式清掃具において、
前記粘着シートロールを部分的に覆うカバー部をさらに有し、
前記カバー部の長辺縁部に前記粘着シートロールを切断する刃部を備えたことを特徴とする粘着式清掃具。
【請求項２】
前記カバー部の持ち手部側と長辺縁部との間にスリットが形成され、
前記スリットよりも長辺縁部側を押下することで、前記刃部が前記粘着シートロールに弾性的に当接することを特徴とする請求項１記載の粘着式清掃具。
【請求項３】
前記刃部と前記スリットがカバー部の両方の長辺側に形成されたことを特徴とする請求項２記載の粘着式清掃具。
【請求項４】
前記カバー部を支持することで前記粘着シートロールを中空状態で収容するケース部を備えたことを特徴とする請求項１乃至請求項３のいずれかに記載の粘着式清掃具。
【考案の詳細な説明】
【技術分野】
【０００１】
本考案は、ロール状に巻回された粘着シートロールに塵やゴミ等を貼着して清掃する粘着式清掃具に関し、特に粘着シートロールを任意の箇所で容易に切断することが可能な粘着式清掃具に関する。
【背景技術】
【０００２】
粘着面が外側に位置するように巻回された粘着シートロールを回転可能に保持するとともに、この粘着シートロールを床やカーペット等の被清掃面上で転がすことで塵やゴミ等を貼着して清掃を行う、例えば下記［特許文献１］に開示されたような粘着式清掃具が商品化されている。このような粘着式清掃具は、箒や電気掃除機等よりも気軽に掃除を行うことができる清掃用具として広く一般に認知されている。また、この粘着式清掃具は粘着シートロールに塵、ゴミ等が貼着して粘着力が低下した場合、最外周の使用済み粘着シートを切断して廃棄することで内側の未使用の粘着シートを簡単に露出させることができる。ここで、下記［特許文献２］には粘着シートロールの切断を容易に行えるよう、ミシン目が形成された粘着シートロールが記載されている。
【先行技術文献】
【特許文献】
【０００３】
【特許文献１】特開２００３−２６５４０１号公報
【特許文献２】特開２００１−２１８７２６号公報
【考案の概要】
【考案が解決しようとする課題】
【０００４】
しかしながら、粘着式清掃具の粘着シートロールは、清掃時に粘着シートロールが容易に巻伸びしないよう粘着シート同士が比較強い力で貼着し巻回されている。このため、たとえミシン目等が形成されていても、粘着シートロールを目的の位置できれいに切断することが難しいという問題点がある。
【０００５】
本考案は上記事情に鑑みてなされたものであり、粘着シートロールを目的の位置で簡単且つきれいに切断することが可能な粘着式清掃具を提供することを目的とする。
【課題を解決するための手段】
【０００６】
本考案は、
（１）ロール状の粘着シートロール１０を回転可能に保持する保持部２０と、
前記保持部２０に固定された持ち手部２２と、を有する粘着式清掃具において、
前記粘着シートロール１０を部分的に覆うカバー部３０をさらに有し、
前記カバー部３０の長辺縁部に前記粘着シートロール１０を切断する刃部４０を備えたことを特徴とする粘着式清掃具８０を提供することにより、上記課題を解決する。
（２）前記カバー部３０の持ち手部側と長辺縁部との間にスリット４２が形成され、
前記スリット４２よりも長辺縁部側を押下することで、前記刃部４０が前記粘着シートロール１０に弾性的に当接することを特徴とする上記（１）記載の粘着式清掃具８０を提供することにより、上記課題を解決する。
（３）前記刃部４０と前記スリット４２がカバー部３０の両方の長辺側に形成されたことを特徴とする上記（２）に記載の粘着式清掃具８０を提供することにより、上記課題を解決する。
（４）前記カバー部３０を支持することで前記粘着シートロール１０を中空状態で収容するケース部５０を備えたことを特徴とする上記（１）乃至（３）のいずれかに記載の粘着式清掃具８０を提供することにより、上記課題を解決する。
【考案の効果】
【０００７】
本考案に係る粘着式清掃具は、カバー部の長辺縁部に粘着シートロールを切断する刃部を備えている。このため、粘着シートロールを目的の位置で簡単且つきれいに切断することができる。また、本考案に係る粘着式清掃具は、刃部がカバー部の両方の長辺に形成されているため、粘着シートロールの巻回方向によらず粘着シートロールの切断を行うことができる。
【図面の簡単な説明】
【０００８】
【図１】本考案に係る粘着式清掃具の斜視図である。
【図２】本考案に係る粘着式清掃具の正面図及び左側面図である。
【図３】本考案に係る粘着式清掃具のスリットの変形例を示す図である。
【図４】本考案に係る粘着式清掃具のケース部を示す図である。
【図５】本考案に係る粘着式清掃具の使用方法を説明する図である。
【考案を実施するための形態】
【０００９】
本考案に係る粘着式清掃具の実施の形態について図面に基づいて説明する。図１は本考案に係る粘着式清掃具８０の斜視図である。また、図２（ａ）は本考案に係る粘着式清掃具８０の正面図であり、（ｂ）は左側面図である。
【００１０】
図１、図２に示す粘着式清掃具８０は、ロール状の粘着シートロール１０を回転可能に保持する保持部２０と、保持部２０に固定された持ち手部２２と、粘着シートロール１０を部分的に覆うカバー部３０と、を有している。そして、カバー部３０の長辺縁部には粘着シートロール１０の切断に用いる刃部４０が形成されている。尚、本考案に用いる粘着シートロール１０は、帯状の基材シートの一面に粘着面を有する粘着シートを、円筒形の巻芯に粘着面を外側にして巻回したものである。
【００１１】
また、粘着式清掃具８０の保持部２０は、例えば粘着シートロール１０の巻芯が嵌入し粘着シートロール１０とともに回転する略円筒形状の巻芯保持部２４と、この巻芯保持部２４を回転可能に支持する支持体２６と、を有している。尚、ここでは支持体２６が所定の形状に屈曲した棒材で形成され、その一端が巻芯保持部２４の回転軸を構成するとともに他端が持ち手部２２に固定された片持ち型の保持部２０の例を示している。ただし、本考案の保持部２０は、特にこの構成に限定されるわけではなく、粘着シートロール１０の巻芯を両側から支持するものの他、周知の支持機構を用いることができる。
【００１２】
保持部２０と固定される持ち手部２２は、ユーザがここを持って清掃等を行うためのものであり、例えばプラスチック等の合成樹脂で形成される。また、カバー部３０は粘着シートロール１０の持ち手部２２側を所定の範囲に亘って覆うものであり、粘着シートロール１０から所定の間隔を取って設けられる。よって、後述する粘着シートロール１０の切断時以外は、カバー部３０が粘着シートロール１０の回転を阻害することはない。また、カバー部３０は合成樹脂などの弾性を有する素材で構成することが好ましく、カバー部３０を合成樹脂で形成する場合には持ち手部２２と一体的に成形することが特に好ましい。
【００１３】
そして、カバー部３０は長辺縁部に刃部４０を有している。尚、刃部４０は粘着シートロール１０に当接し易いよう、内側、即ち粘着シートロール１０側に向けて形成することが好ましい。また、刃部４０は金属等で構成しても良いが、特に鋭利な刃物である必要はなく、よってカバー部３０を合成樹脂で構成する場合には、刃部４０とカバー部３０とを合成樹脂で一体的に成形することが好ましい。
【００１４】
また、カバー部３０の持ち手部２２側と長辺縁部との間には、カバー部３０を貫通するスリット４２が形成される。そして、このスリット４２により、カバー部３０は持ち手部２２側と、スリット４２よりも長辺縁部側に位置する長辺部３２とに分断されるとともに、カバー部３０の持ち手部２２側と長辺部３２とは比較的幅の狭い弾性部３４により繋がれる。尚、スリット４２の形状は図１、図２に示す略コの字形状のものに限定されるわけではなく、例えば図３（ａ）〜（ｄ）に示すように、持ち手部２２側と長辺部３２とを弾性部３４で繋ぐように形成すれば如何なる形状としても良い。また、弾性部３４は図１、図２、図３（ａ）〜図３（ｃ）に示すように２つでも良いし、図３（ｄ）に示すように１つでも良い。また、３つ以上形成しても良い。尚、長辺部３２の略中央部分にはユーザに押し位置を示唆するための押さえ部３６を形成することが好ましい。
【００１５】
また、刃部４０及びスリット４２はカバー部３０の両方の長辺に形成することが好ましい。仮に刃部４０及びスリット４２を一方の長辺のみに形成した場合、粘着シートロール１０の巻回方向によっては刃部４０による粘着シートロール１０の切断が困難となる。しかしながら、刃部４０及びスリット４２をカバー部３０の両方の長辺に形成することで、粘着シートロール１０の設置方向、即ち粘着シートロール１０の巻回方向によらず刃部４０による粘着シートロール１０の切断を行うことができる。
【００１６】
さらに、本考案に係る粘着式清掃具８０は、図４（ａ）、（ｂ）に示すように、粘着シートロール１０を収容するケース部５０を備えていても良い。このケース部５０は、カバー部３０を支持することで粘着式清掃具８０の粘着シートロール１０を中空状態で収容する。このため、粘着シートロール１０の粘着面がケース部５０の内壁等に接触せず、粘着式清掃具８０を楽に出し入れすることができる。また、粘着面がケース部５０の内壁等に接触しないため、粘着力も低下しない。
【００１７】
次に、粘着式清掃具８０の使用方法を説明する。先ず、粘着シートロール１０を粘着式清掃具８０の保持部２０に設置する。本例では、粘着シートロール１０の巻芯を巻芯保持部２４に嵌入し固定する。このとき、粘着シートロール１０の設置方向（巻回方向）には特に限定はない。次に、ユーザが粘着式清掃具８０の持ち手部２２を持って、粘着シートロール１０を被清掃面上で前後方向に転がす。これにより、被清掃面上の塵、ゴミ等は、粘着シートロール１０の最外周の粘着面に貼着し、被清掃面の掃除が行われる。
【００１８】
粘着シートロール１０表面に塵、ゴミ等が貼着し粘着力が低下すると、ユーザは粘着シートロール１０の端部を摘み、使用済みの粘着面と未使用の粘着面との境界部がカバー部３０の長辺縁部に位置するよう巻き伸ばす。
【００１９】
次に、ユーザは長辺部３２にある押さえ部３６を粘着シートロール１０の側に押下する。これにより、弾性部３４が粘着シートロール１０の側に弾性的に湾曲する。弾性部３４が粘着シートロール１０側に湾曲すると、図５の部分拡大図に示すように、長辺縁部に形成された刃部４０が粘着シートロール１０に当接する。そして、ユーザは刃部４０を粘着シートロール１０表面に押圧したまま、粘着シートロール１０の使用済み部分を刃部４０に沿って引きちぎる。これにより、粘着シートロール１０は使用済み粘着面と未使用の粘着面との境界部近傍で刃部４０に沿って切断される。そして、粘着シートロール１０の表面には内周に位置していた未使用の粘着面が露出する。
【００２０】
次に、ユーザは長辺部３２の押圧を解除する。これにより、長辺部３２は弾性部３４の弾性力によって元の状態に復帰する。切断された使用済み粘着面は貼着した塵、ゴミ等とともに破棄される。
【００２１】
以上のように、本考案に係る粘着式清掃具８０は、長辺縁部に形成された刃部４０を粘着シートロール１０に押圧した状態で粘着シートロール１０の切断を行うため、粘着シートロール１０を刃部４０に沿って簡単且つきれいに切断することができる。また、粘着シートロール１０を目的の位置できれいに切断することができる。また、本考案に係る粘着式清掃具８０は、刃部４０がカバー部３０の両方の長辺に形成されているため、粘着シートロール１０の巻回方向によらず粘着シートロール１０の切断を行うことができる。さらに、本考案に係る粘着式清掃具８０は、粘着シートロール１０を中空状態で収容するケース部５０を備えている。このため、粘着シートロール１０の粘着面がケース部５０の内壁等に接触せず、粘着面の粘着力の低下を防止するとともに粘着式清掃具８０を楽に出し入れすることができる。
【００２２】
尚、上記に示した粘着式清掃具８０は一例であるから、粘着式清掃具８０の各部の形状、寸法、機構等はこれに限定されるわけでは無く、本考案は本考案の要旨を逸脱しない範囲で変更して実施することが可能である。
【符号の説明】
【００２３】
１０    粘着シートロール
２０    保持部
２２    持ち手部
３０    カバー部
４０    刃部
４２    スリット
５０    ケース部
８０    粘着式清掃具
【図１】
0003185426.tif 000003
【図２】
0003185426.tif 000004
【図３】
0003185426.tif 000005
【図４】
0003185426.tif 000006
【図５】
0003185426.tif 000007